(57)【要約】【課題】構造の簡素化が可能な二種混合容器を提案する。【解決手段】頂部において開口する口頚部１ａを有し、その内側に主物の充填空間Ｍを形成する容器本体１と、この容器本体１の口頚部１ａの内側に着脱自在に保持され、その内側に副物の装填空間を備えた注出栓２とを備えたもので構成する。そして、前記注出栓２に、主物を副物の装填空間Ｍ内に流入させる複数開孔４ａを有する底壁部４と、副物の装填空間Ｍ１に流入させた主物を外界へ向けて排出する複数の開孔３ａを備えた天井壁部３を設ける。【選択図】図１
2010173722.tif 000002
【特許請求の範囲】
【請求項１】
頂部において開口する口頚部を有し、その内側に主物の充填空間を形成する容器本体と、この容器本体の口頚部の内側に着脱自在に保持され、その内側に副物の装填空間を備えた注出栓とを備え、
前記注出栓に、主物を副物の装填空間内に流入させる複数開孔を有する底壁部と、副物の装填空間に流入させた主物を外界へ向けて排出する複数の開孔を備えた天井壁部を設けた、ことを特徴とする二種混合容器。
【請求項２】
前記天井壁部及び底壁部の少なくとも一方が、傾斜壁からなる、請求項１記載の二種混合容器。
【請求項３】
前記注出栓は、主物のみを通過させる主物通過経路を有する、請求項１又は２記載の二種混合容器。
【発明の詳細な説明】
【技術分野】
【０００１】
本発明は、使用直前に主物（例えば、容器本体側に充填される液体物）と副物（例えば、薬剤や茶葉等）を混合(主物を副物に接触させる場合を含むものとする)させて注出することができる二種混合容器に関するものである。
【背景技術】
【０００２】
種類の異なる内容物を使用直前に混合して注出する二種混合容器は、毛染め剤等の薬剤のみならずお茶等の飲料分野へも適用される傾向にあり、その需要は今後益々増大していくと見込まれており、この点に関する先行技術としては、主筒からの離脱によるキャップ部材の抜取りによって、副物を入れた収納筒を容器体内へ落下させる構造の混合容器が知られている（特許文献１参照）。
【先行技術文献】
【特許文献】
【０００３】
【特許文献１】特開２００６−４４６９３号公報
【発明の概要】
【発明が解決しようとする課題】
【０００４】
ところで、従来のこの種の混合容器は、構造の複雑化により部品点数が多くなるのが避けられないことから効率的な組み付けを実施するのが難しい不具合があり、未だ改良の余地が残されていた。
【０００５】
本発明の課題は、従来の混合容器において生じていた上記の不具合を解消できる新規な二種混合容器を提案するところにある。
【課題を解決するための手段】
【０００６】
本発明は、頂部において開口する口頚部を有し、その内側に主物の充填空間を形成する容器本体と、この容器本体の口頚部の内側に着脱自在に保持され、その内側に副物の装填空間を備えた注出栓とを備え、
前記注出栓に、主物を副物の装填空間内に流入させる複数開孔を有する底壁部と、副物の装填空間に流入させた主物を外界へ向けて排出する複数の開孔を備えた天井壁部を設けた、ことを特徴とする二種混合容器である。
【０００７】
上記の二種混合容器において、天井壁部及び底壁部の少なくとも一方を、傾斜壁とするのが好ましい。
【０００８】
また、上記の二種混合容器においては、注出栓に、主物のみを通過させる主物通過経路を設けることができる。
【発明の効果】
【０００９】
容器本体の口頚部に、副物を装填した注出栓を配置し、容器本体を傾けて主物を排出する際に副物に接触、混合させるようにしたので、混合容器の構造の簡素化が可能となる。また、容器本体を傾倒させない限り主物と副物とが混合することがないので、常に新鮮な混合物が得られる。
【図面の簡単な説明】
【００１０】
【図１】本発明にしたがう二種混合容器の実施の形態を模式的に示した図である。
【図２】図１に装着された注出栓のみを取り出して示した図である。
【図３】本発明に適合する注出栓の変形例を示した図である。
【図４】本発明に適合する注出栓の変形例を示した図である。
【図５】本発明に適合する注出栓の変形例を示した図である。
【図６】本発明に適合する注出栓の変形例を示した図である。
【図７】本発明に適合する注出栓の変形例を示した図である。
【図８】本発明にしたがう二種混合容器の他の実施の形態を示した図である。
【図９】本発明に適合する注出栓の変形例を示した図である。
【発明を実施するための形態】
【００１１】
以下、図面を用いて本発明をより具体的に説明する。
図１は本発明にしたがう二種混合容器の実施の形態を模式的に示したものであり、図２は注出栓のみを取り出して示した図である。
【００１２】
図における１は主物（液体等の内容物）の充填空間Ｍを区画形成する容器本体である。容器本体１はその頂部において開口する筒状の口頚部１ａを有している。
【００１３】
また、２はカートリッジタイプの注出栓である。この注出栓２は口頚部１ａの内壁面に嵌合して固定保持される筒体２ａと、この筒体２ａの上端部に一体的に設けられ、口頚部１ａの突端面に当接して該注出栓２の口頚部１ａからの抜け落ち（容器本体１内への抜け落ち）を防止するフランジ部２ｂと、筒体２ａの下端部においてその内周面に嵌合する内筒２ｃから構成されている。
【００１４】
また、３は筒体２ａの内側の上部において一体的に設けられた天井壁部である。この天井壁部３には、複数の開孔３ａが設けられていて、その中心部が最も低くなるＶ型の断面形状を呈する傾斜壁からなっている。４は内筒２ｃの下端に一体的に設けられた底壁部である。この底壁部４には複数の開孔４ａが設けられており、この底壁部４と内筒２ｃと筒体２ａ及び天井壁部３によって取り囲まれた空間領域が副物（ビーズ状のもの等が適用される）装填する装填空間Ｍ１となっている。
【００１５】
また、５は口頚部１ａにねじ止め（アンダーカットによる係合であってもよい）され、筒体２ａの上端開口を密閉するカバーキャップである。
【００１６】
本発明にしたがう二種混合容器は、商品として流通している段階では注出栓２と容器本体１とは別個になっている。容器本体１内の内容物（主物）を副物と混合して排出するには、まず、カバーキャップ５を取り外して容器を開封し注出栓２を容器本体１の口頚部１ａに装着して口頚部１ａが下を向くように容器本体１を傾倒させればよい。そうすると、容器本体１内に充填された内容物は、底壁部４の開孔４ａを通って装填空間Ｍ１へと侵入して副物と接触、混合され、天井壁部３の開孔３ａを通って外界へと排出される。
【００１７】
上記の構成になる二種混合容器は、カートリッジタイプの簡単な構造からなっており、部品点数が少なくてすみ、容器本体１を傾倒させている時にのみ混合が行われるため必要に応じて装填空間Ｍ１内の副物の混合が行える。
【００１８】
また、天井壁部３を、傾きをもたせた傾斜壁とすることにより装填空間Ｍ１内に隙間を形成することができるため、副物の流動化を促進して主物を副物にまんべんなく接触させることが可能となるとともに天井壁部３側での主物と副物との接触面積が拡大され効率的な接触、混合が図られる。また、天井壁部３を傾斜壁とすることで容器本体１を注出姿勢から起立姿勢に引き起こしたときに主物の装填空間Ｍ１側への迅速な戻しが可能となる。
【００１９】
主物が残った場合には容器本体１を起立させておくだけで副物の接触が回避されるのでカバーキャップ５を再び装着することにより内容物の保存が可能となる。
【００２０】
上記の注出栓２に副物を装填するには天上壁部３が下側になるように筒体２ａを反転してその内側に副物を装填し、次いで内筒２ｃを該筒体２ａの内側に差し込んで嵌合させればよい。
【００２１】
天井壁部３については、その中心部が最も低くなるＶ型の断面形状を呈する傾斜壁として示したが、該天井壁部３は図３、図４に示すような傾斜壁であってもよく、この点については適宜変更することができる。
【００２２】
図５は本発明にしたがう二種混合容器の他の実施の形態を注出栓２のみについて示した図である。
【００２３】
本発明に適合する注出栓２としては、図５に示すように天井壁部３と一体成形され、底壁部４と天井壁部３において開放する開口端を有する小径筒体６を設けることができる。
【００２４】
小径筒体６は、主物のみを通過させる経路を形成するものであって、これによれば、副物との接触、混合が緩和され比較的濃度の低い混合物の排出が可能となる。
【００２５】
図６、図７は図５に示した注出栓２の変形例を示したものである。小径筒体６を備えた注出栓２についても天井壁部３に勾配を付与して傾斜壁としておくことができる。
【００２６】
図８は本発明にしたがう二種混合容器のさらに他の実施の形態を示した図である。
【００２７】
この例の注出栓２は筒体２ａと底壁部４を一体化し、天井壁部３を筒体２ａとは別体にしてその縁部環状体３ｂを筒体２ａの内周面に着脱可能に適合させて固定保持し、底壁部４の開孔４ａを孔状のものからスリット状に変更したものである。
【００２８】
かかる構造の注出栓２は主物の装填空間Ｍ１内における滞留時間を比較的長めに設定できるため、混合物の濃度を高めることができる利点がある。
【００２９】
筒体２ａと底壁部４を一体化し開孔４ａをスリット状にした注出栓２においては、図９に示すように主物のみを優先的に排出する小径筒体６を設けてもよい。
【００３０】
上掲図８、９に示した注出栓２にあっては、天井壁部３を取付け、取り外しすることにより副物を装填する。
【００３１】
注出栓２については、内筒２ｃを設けて底壁部４と一体化を図った例について示したが、この内筒２ｃを省略し、底壁部４として複数の開孔４ａを備えたアルミシールを使用することもできるし、内筒２ｃをそのまま配置しておき、この内筒２ｃの下端と底壁部４を別体で形成し該底壁部４をヒンジを介して開閉可能に連結した構造を採用することも可能であり、この点については適宜変更される。
【００３２】
本発明にしたがう二種混合容器は、口頚部１ａが白化されており、容器本体部分が透明又は半透明の場合、その寸法を短くすることで外側から見えなくすることができ、逆に長くすることで副物がどの程度残っているか容易に視認することできる。
【００３３】
また、構成部材の全てを透明又は半透明とすることで注出栓の長さにかかわりなく装填空間Ｍ１内における副物を視認することができ、その残存量の把握が容易となる利点がある。
【産業上の利用可能性】
【００３４】
構造の比較的簡素化された二種混容器が提供できる。
【符号の説明】
【００３５】
１      容器本体
１ａ    口頚部
２      注出栓  
２ａ    筒体
２ｂ    フランジ部
２ｃ    内筒
３      天井壁部
３ａ    開孔
４      底壁部
４ａ    開孔
５      カバーキャップ
６      小径筒体
Ｍ      充填空間
Ｍ１    装填空間
【図１】
2010173722.tif 000003
【図２】
2010173722.tif 000004
【図３】
2010173722.tif 000005
【図４】
2010173722.tif 000006
【図５】
2010173722.tif 000007
【図６】
2010173722.tif 000008
【図７】
2010173722.tif 000009
【図８】
2010173722.tif 000010
【図９】
2010173722.tif 000011